(57)【要約】【課題】ＰＣ床版の揚重作業と敷設作業を効率的に行う。【解決手段】揚重対象のＰＣ床版１の両端部に係止具３の先端部を突出させておく。複数のＰＣ床版を幅方向に並べて並置し、各ＰＣ床版の係止具にそれぞれ吊り具１３を係止し、それらＰＣ床版を並置した状態のまま一括して吊り上げて敷設位置にそのまま配置する。一群のＰＣ床版を多段に積み重ね、その全てを一括して吊り上げ、下段側のＰＣ床版を敷設位置に配置した後、上段側の各ＰＣ床版群に玉掛けし直してそれらを横移動させる。鋼製の吊りフレーム１２に複数の吊り具１３を設けた簡易な吊り治具１１を用いる。吊り具におけるフック部材１９としては、係止具３の頭部に係脱自在な倒立ダルマ形状の係止孔を有する鋼板を用いる。【選択図】      図２
2007113193.tif 000002
【特許請求の範囲】
【請求項１】
両端面に中空孔が開口しているＰＣ床版を吊り上げてその敷設位置に配置するための揚重方法であって、
予め、係止具の基端部を前記中空孔に挿入してモルタルにより固着しておくことによって、揚重対象のＰＣ床版の両端部に該係止具の先端部を突出させておき、
該ＰＣ床版を平置きするとともに、複数のＰＣ床版をそれらの両端の位置を揃えかつ側部どうしが接する状態で幅方向に並べて並置し、
各ＰＣ床版の係止具にそれぞれ吊り具を係止することによって玉掛けを行い、
それら一群のＰＣ床版を幅方向に並べた状態のまま一括して吊り上げて敷設位置にそのまま配置することを特徴とするＰＣ床版の揚重方法。
【請求項２】
請求項１記載のＰＣ床版の揚重方法であって、
並置した一群のＰＣ床版の上段に、同じく複数のＰＣ床版を向きを揃えて同様に幅方向に並べて並置して積み重ね、
下段側のＰＣ床版の各ＰＣ床版の係止具にそれぞれ吊り具を係止することにより玉掛けを行い、
下段側および上段側のＰＣ床版の全てをそのまま一括して吊り上げて、下段側の各ＰＣ床版の敷設位置にそのまま配置した後、
下段側の各ＰＣ床版の係止具にそれぞれ係止していた吊り具を外してそれぞれ直上位置に積層されている上段側の各ＰＣ床版の各係止具に係止することにより、下段側のＰＣ床版から上段側のＰＣ床版に玉掛けし直し、
しかる後に、上段側のＰＣ床版をそのまま一括して吊り上げて敷設位置にそのまま配置することを特徴とするＰＣ床版の揚重方法。
【請求項３】
請求項１または２記載の方法により複数のＰＣ床版を一括して揚重するために用いる吊り治具であって、
並置した一群のＰＣ床版全体の平面形状に対応する矩形枠状に形成されてクレーン等の揚重手段により吊り支持される鋼製の吊りフレームに、各ＰＣ床版の両端部に設けられている係止具にそれぞれ係止される複数の吊り具を設けてなることを特徴とするＰＣ床版揚重用の吊り治具。
【請求項４】
請求項３記載の吊り治具であって、
各吊り具は、吊りフレームに連結された吊りワイヤーの下端に鋼板からなるフック部材を取り付けてなり、該フック部材には、各ＰＣ床版の両端部に突出している係止具の先端部に形成されている頭部に係脱自在な倒立ダルマ形状の長穴を形成してなることを特徴とするＰＣ床版揚重用の吊り治具。
【発明の詳細な説明】
【技術分野】
【０００１】
本発明は、建物の施工に際してその床を形成するためのプレキャストコンクリート部材であるＰＣ床版を揚重するための手法に関わり、特に両端面に中空孔が開口しているいわゆる穴あきＰＣ床版を効率的に揚重して敷設することの可能な揚重方法と、それに用いる吊り治具に関する。
【背景技術】
【０００２】
周知のように、この種のＰＣ床版の揚重手法としては、図８（ａ）に示すように地上の作業ヤードにおいて複数（図では３枚）のＰＣ床版ａを平積みし、それを玉掛けワイヤーｂを介してクレーンにより揚重して設置階に確保した作業ヤードに仮置きした後、同図（ｂ）に示すように両端面に開口している中空孔に爪ｃを差し込んで一枚ずつ吊り上げてはそれぞれの敷設位置に間配る（まくばる）ことが最も一般的である。あるいは同図（ｃ）に示すように地上から縦姿勢で１枚ずつ吊り上げることも行われている。
【０００３】
また、特殊な揚重手法として、特許文献１にはＰＣ板に板厚方向に貫通する貫通孔を設けておいて、それら貫通孔を縦列に揃えた状態で複数のＰＣ板を多段に積み重ね、貫通孔に吊下金具を挿通させて揚重するという方法が開示されている。さらに、特許文献２には２枚の長方形のＰＣ床版をそれらの長手方向が直交する状態で一度に吊り上げるという方法が開示されている。
【特許文献１】特開平５−２３９９２３号公報
【特許文献２】特開平７−４２３６８号公報
【発明の開示】
【発明が解決しようとする課題】
【０００４】
しかし、図８に示すような従来一般の揚重手法では効率的な揚重作業が望めず、特に大規模建物の施工に際しては膨大な枚数のＰＣ床版を敷設するための工程に多大の手間と費用を要することが不可避である。しかも、（ｂ）に示したように中空孔に爪ｃを差し込んで揚重することはＰＣ床版を傷める懸念もあるので好ましいことではない。
【０００５】
また、特許文献１に示される方法では、複数のＰＣ床版を積み重ねて揚重して最終的には１枚ずつ間配る作業が必要であることは従来と同様であるし、貫通孔を有する特殊なＰＣ床版を用いることが前提であり、またその貫通孔を塞ぐ作業も必要となるので、その点でのコスト増や手間を要するものであってさして有効といえるものではない。さらに、特許文献２に示される方法は柱の周囲へのＰＣ床版の敷設には有効であるが、たかだか２枚のＰＣ床版を一度に揚重するだけであるのでさしたる効率向上を望めるものではない。
【０００６】
上記事情に鑑み、本発明はＰＣ床版の揚重作業と敷設作業を十分に効率的に行い得る有効適切な手法を提供することを目的とする。
【課題を解決するための手段】
【０００７】
請求項１記載の発明は、両端面に中空孔が開口しているＰＣ床版を吊り上げてその敷設位置に配置するための揚重方法であって、予め、係止具の基端部を前記中空孔に挿入してモルタルにより固着しておくことによって、揚重対象のＰＣ床版の両端部に該係止具の先端部を突出させておき、該ＰＣ床版を平置きするとともに、複数のＰＣ床版をそれらの両端の位置を揃えかつ側部どうしが接する状態で幅方向に並べて並置し、各ＰＣ床版の係止具にそれぞれ吊り具を係止することによって玉掛けを行い、それら一群のＰＣ床版を幅方向に並べた状態のまま一括して吊り上げて敷設位置にそのまま配置することを特徴とする。
【０００８】
請求項２記載の発明は、請求項１記載の発明のＰＣ床版の揚重方法であって、並置した一群のＰＣ床版の上段に、同じく複数のＰＣ床版を向きを揃えて同様に幅方向に並べて並置して積み重ね、下段側のＰＣ床版の各ＰＣ床版の係止具にそれぞれ吊り具を係止することにより玉掛けを行い、下段側および上段側のＰＣ床版の全てをそのまま一括して吊り上げて、下段側の各ＰＣ床版の敷設位置にそのまま配置した後、下段側の各ＰＣ床版の係止具にそれぞれ係止していた吊り具を外してそれぞれ直上位置に積層されている上段側の各ＰＣ床版の各係止具に係止することにより、下段側のＰＣ床版から上段側のＰＣ床版に玉掛けし直し、しかる後に、上段側のＰＣ床版をそのまま一括して吊り上げて敷設位置にそのまま配置することを特徴とする。
【０００９】
請求項３記載の発明は、請求項１または２記載の発明の方法により複数のＰＣ床版を一括して揚重するために用いる吊り治具であって、並置した一群のＰＣ床版全体の平面形状に対応する矩形枠状に形成されてクレーン等の揚重手段により吊り支持される鋼製の吊りフレームに、各ＰＣ床版の両端部に設けられている係止具にそれぞれ係止される複数の吊り具を設けてなることを特徴とする。
【００１０】
請求項４記載の発明は、請求項３記載の発明の吊り治具であって、各吊り具は、吊りフレームに連結された吊りワイヤーの下端に鋼板からなるフック部材を取り付けてなり、該フック部材には、各ＰＣ床版の両端部に突出している係止具の先端部に形成されている頭部に係脱自在な倒立ダルマ形状の長穴を形成してなることを特徴とする。
【発明の効果】
【００１１】
本発明の揚重方法によれば、多数のＰＣ床版を単に幅方向に並べて並置することのみで、それら一群のＰＣ床版を一括して安定に揚重し、それぞれの敷設位置に一括して設置することができるのでさらに１枚ずつ間配る必要がなく、それにより従来一般の揚重方法に比べて作業効率を格段に向上させることができ、工期短縮と工費削減を十分に図ることができる。特に、一群のＰＣ床版を２段積みとして揚重すれば、途中で玉掛けをし直すこととのみで１段ずつ揚重する場合に比べてクレーンの稼働率を十分に高めることができる。
【００１２】
本発明の吊り治具は、汎用の建設資材により簡単かつ安価に製作でき、各ＰＣ床版に対する玉掛け作業も何等面倒ではなく、ＰＣ床版を傷める懸念も全くなく、上記の揚重方法を実施する際に用いるものとして最適である。特に、フック部材として倒立ダルマ状の長穴を有する鋼板を用いることにより、係止具の頭部に対する係脱を極めて簡単に行うことができるし、安全確実な揚重が可能である。
【発明を実施するための最良の形態】
【００１３】
本発明は、多数のＰＣ床版を単に幅方向に並べた状態のままで一括して揚重することを主眼とするものであり、以下、図１〜図５を参照してその一実施形態を説明する。
【００１４】
図１は本実施形態の揚重方法による揚重対象のＰＣ床版１を示すものである。このＰＣ床版１は、従来一般のいわゆる穴あきＰＣ床版と同様に両端面に中空孔２が開口している長尺帯板状の形態のものであるが、後述する吊り具１３を係止するための係止具３が中空孔２の一部に対して予め取り付けられているものである。
【００１５】
係止具３はその先端部に拡径された頭部３ａを有するボルト状のもの（たとえばＭ１２ボルトが好適に採用可能である）で、その頭部３ａをわずかに突出させた状態で基端部が中空孔２内に挿入されてモルタル４により強固に固着されているものである。なお、図示例では各端面の中央付近と両側の計３箇所に係止具３を設けているが、係止具３は少なくとも両側の２箇所にあれば良く、中央部のものは省略しても良い。本実施形態では揚重時には両側２箇所の係止具３のみを用い、中央部の係止具３は必要に応じて補助的に使用するものとしている。
【００１６】
図２〜図４は本実施形態の揚重方法に用いる吊り治具１１と、それにより全１０枚のＰＣ床版１を上下２段に積み重ねて吊り支持した状態を示す。吊り治具１１は、揚重対象の一群のＰＣ床版全体の平面的な形状と大きさに対応して製作された吊りフレーム１２に、各ＰＣ床版１を吊り支持するための多数の吊り具１３を設けたものである。
【００１７】
吊り治具１１における吊りフレーム１２は、Ｈ形鋼からなる一対２本の主ビーム１４と、それらをつなぐチャンネル材からなる３本の連結材１５およびブレース１６とによって全体として矩形枠状に形成され、主ワイヤー１７を介してクレーン等の揚重手段（図示せず）により水平姿勢で安定に吊り支持されるものである。
【００１８】
また、吊り治具１１における各吊り具１３は、上記の吊りフレーム１２の各主ビーム１４の下面側に連結された吊りワイヤー１８の下端にフック部材１９を取り付けたものである。フック部材１９は、図４（ｂ），（ｃ）に示すように係止具３の頭部３ａに対応する倒立ダルマ形状の係止孔１９ａを有する鋼板からなり、（ｂ）に示すように係止孔１９ａの上部の大径部を係止具３の頭部３ａに合わせて装着することにより、（ｃ）に示すように揚重時には自ずと係止孔１９ａの下部の小径部が頭部３ａに係合して抜け止めがなされるようになっている。
【００１９】
なお、上記の吊り具１３は１枚のＰＣ床版１に対して片側に２本ずつ、両側で計４本設ければ良く、図示例のものでは各段５枚のＰＣ床版１を一括して揚重するものとしていることから、片側の主ビーム１４に対しては１０本の吊り具１３を設けたものとなっているが、主ビーム１４に対するそれら吊り具１３の上端の連結点は６箇所のみとされていて、内側４箇所の各連結点には吊り具１３が２本ずつ連結され、かつ内側の各連結点の相互間隔は各ＰＣ床版１における係止具３の相互間隔よりも大きく設定されている。これにより、図示しているように、各吊り具１３は各ＰＣ床版１に係止された状態では鉛直に対して傾斜状態となって、内側３枚のＰＣ床版１に係止される各２本の吊り具１３は互いに逆方向に傾斜して平行にならないようにされており、したがって主ビーム１４に対するＰＣ床版１の幅方向の揺動が自ずと防止されて安定に吊り支持することができるものとなっている。
【００２０】
本実施形態の揚重方法の具体的な作業手順としては、地上に確保した作業ヤードにおいて、まず５枚のＰＣ床版１をそれらの両端を揃えかつ側部どうしを接するように並置する。さらに、その上段に、同様に５枚のＰＣ床版１を向きを揃えてスペーサ２０（角端太材）を介して並置して積み重ねる。この際、各ＰＣ床版１どうしを相互に連結する必要はなく、それらを単に幅方向に並べかつ単に積み重ねるだけで良い。
【００２１】
そして、図４（ｂ），（ｃ）に示したように下段側の各ＰＣ床版１の各係止具３に対して各吊り具１３を係止して玉掛けし、クレーン操作により吊り治具１１を徐々に上昇させていけば、図２に示したように上下２段全１０枚のＰＣ床版１の全てをそのまま一括して安定に揚重することができる。
【００２２】
そのままクレーン操作によって下段側のＰＣ床版１を敷設するべき位置に導き、そこで徐々に吊り下ろして図５に示すように大梁２１上に配置する。これにより下段側の５枚のＰＣ床版１の敷設位置への配置作業が一度に完了し、さらに１枚ずつ間配る必要はない。
【００２３】
続いて、各吊り具１３を上段側のＰＣ床版１に対して玉掛けし直す。つまり、下段側のＰＣ床版１からフック部材１９を外し、それを直上位置に重ねられている上段側のＰＣ床版１の係止具３に係止し直す。そして、吊り治具１１を再び上昇させ、図５に示すように上段側の５枚のＰＣ床版１をそのまま一括して吊り上げ、そのまま横移動させて隣接位置に吊り下ろせば、上段側の５枚のＰＣ床版１の配置作業も一度に完了する。
【００２４】
このように、本実施形態の揚重方法によれば、多数のＰＣ床版１を単に幅方向に並べて並置して一括して安定に揚重することが可能であり、上述したような従来一般の揚重方法に比べて作業効率を格段に向上させることができる。特に、上記実施形態のようにＰＣ床版を２段積みとして揚重して途中で玉掛けをし直すこととすれば、１段ずつ揚重する場合に比べてクレーンの稼働率をより高めることができる。
【００２５】
そして、上記の揚重方法を実施するためには、汎用のＰＣ床版１に対して係止具３としてボルト等の金具を予め中空孔２に挿入してモルタル４により固着しておくだけで良いし、それらのＰＣ床版１を一括して揚重するための吊り治具１１はＨ形鋼やチャンネル材等の建設資材により簡単かつ安価に製作できるものであり、また各ＰＣ床版１に対する玉掛け作業も何等面倒ではなく、ＰＣ床版１を傷める懸念も全くないから、本方法を実施するために要するコスト増は些少で済み、作業効率向上による工期短縮と工費削減を十分に図ることができる。
【００２６】
なお、上記実施形態ではＰＣ床版１を２段積みとして一括して揚重するものとしたが、１段のみで揚重することでも勿論良いし、可能であれば図６（ａ）に示すように３段積みないしそれ以上の多段として一括して揚重することでも良く、その場合は上記の揚重作業手順を段数分だけ単純に繰り返せば良い。また、上記実施形態では５枚のＰＣ床版１を一群として取り扱うこととしたが、それに限るものでは勿論なく、たとえば図６（ｂ）に示すように各群の枚数は適宜増減すれば良い。勿論、吊り治具１１における吊りフレーム１２の大きさやその形態、吊り具１３の所要本数やその形状、その他の各部の具体的な構成は、揚重するするべきＰＣ床版１の大きさや枚数、全重量、その他の諸条件を考慮して適正に設定すれば良い。
【００２７】
また、上記実施形態ではＰＣ床版１を２段に積み重ねてクレーンにより一括揚重し、下段側のＰＣ床版１を敷設位置に配置した時点で上段側のＰＣ床版１に玉掛けし直し、上段側のＰＣ床版１もさらにクレーンにより再揚重するものとしたが、上段側のＰＣ床版１はクレーンによることなく他の搬送手段により横移動させることでも良い。たとえば図７に示すように、簡易な自立門形フレーム３１にチェーンブロック３２を横移動可能に設置した構成の横移動装置３０を用いて、上段側のＰＣ床版１をわずかに持ち上げて横移動させることも考えられる。この場合は、上記の吊り治具１１における吊り具３と同様の吊り具３３をチェーンブロック３２に設けておき、それをＰＣ床版１の係止具３に係止して持ち上げれば良い。
【００２８】
また、上記実施形態のように、ＰＣ床版１に予め取り付けておく係止具３は先端部に頭部３ａを有するボルト状のものが好適であり、それに係止されるフック部材１９としては倒立ダルマ状の係止孔１９ａを有する鋼板からなるものが好適であるが、ＰＣ床版１を安定に吊り支持でき、かつ簡単に係脱可能なものであれば、係止具３およびフック部材１９の構成は様々に変更可能である。
【００２９】
さらに、前述したようにＰＣ床版１に対する係止具３の取り付け位置や個数は安定に吊り支持できるように設定すれば良く、いずれにしても係止具３はＰＣ床版１を製作する時点で工場で取り付けてしまえば良いが、あるいは現場の作業ヤードにおいて揚重に先立って取り付ける（ただし、当然にモルタル４の強度が発現するに十分な養生期間を確保する必要はある）ことでも良い。
【図面の簡単な説明】
【００３０】
【図１】本発明の実施形態を示すもので、揚重対象のＰＣ床版の一例を示す図である。
【図２】同、吊り治具によりＰＣ床版を２段積みとして吊り支持した状態を示す斜視図である。
【図３】同、吊り治具の構成例を示す三面図である。
【図４】同、ＰＣ床版における係止具と吊り具におけるフック部材との係止状態を示す図である。
【図５】同、上段側のＰＣ床版の横移動工程を示す図である。
【図６】本発明の他の実施形態を示すもので、吊り治具によりＰＣ床版を吊り支持した状態を示す図である。
【図７】同、上段側のＰＣ床版の横移動工程の他の作業手順を示す図である。
【図８】従来一般のＰＣ床版の揚重方法を示す図である。
【符号の説明】
【００３１】
１  ＰＣ床版
２  中空孔
３  係止具
３ａ  頭部
４  モルタル
１１  吊り治具
１２  吊りフレーム
１３  吊り具
１４  主ビーム
１５  連結材
１６  ブレース
１７  主ワイヤー
１８  吊りワイヤー
１９  フック部材
１９ａ  係止孔
２０  スペーサ
２１  大梁
３０  横移動装置
３１  自立門形フレーム
３２  チェーンブロック
３３  吊り具
【図１】
2007113193.tif 000003
【図２】
2007113193.tif 000004
【図３】
2007113193.tif 000005
【図４】
2007113193.tif 000006
【図５】
2007113193.tif 000007
【図６】
2007113193.tif 000008
【図７】
2007113193.tif 000009
【図８】
2007113193.tif 000010